(57)【特許請求の範囲】
【請求項１】
一対の給電端子が軸線方向に所定間隔をおいて対向配置されたソケットに装着可能な保持体を有し、該保持体が、ランプを保持する第１の保持部材と、該第１の保持部材を前記軸線方向に傾動可能に支持すると共に前記ソケットの給電端子に電気的に接続可能な端子部材が設けられた第２の保持部材とを有し、該第２の保持部材が前記軸線回りに回動可能に支持され、前記端子部材が前記第２の保持部材の前後端に同軸的かつ一体的に設けられ、前記端子部材を前記第２の保持部材の本体に対して相対回動可能とすることにより前記第２の保持部材が前記軸線回りに回動可能に支持されたことを特徴とするランプ装置。
【請求項２】
一対の給電端子が軸線方向に所定間隔をおいて対向配置されたソケットに装着可能な保持体を有し、該保持体が、ランプを保持する第１の保持部材と、該第１の保持部材を前記軸線方向に傾動可能に支持すると共に前記ソケットの給電端子に電気的に接続可能な端子部材が設けられた第２の保持部材とを有し、該第２の保持部材が前記軸線回りに回動可能に支持され、前記第２の保持部材は、左右の分割体からなり、前記第１の保持部材を挟み込むように前記分割体を結合して組み立てられるようにしたことを特徴とするランプ装置。
【請求項３】
一対の給電端子が軸線方向に所定間隔をおいて対向配置されたソケットに装着可能な保持体を有し、該保持体が、ランプを保持する第１の保持部材と、該第１の保持部材自体を支持すると共に前記ソケットの給電端子に電気的に接続可能な端子部材が設けられた第２の保持部材とを有し、前記第１の保持部材が、前記第２の保持部材に対して球状体を介して任意の方向に傾動可能に支持され、前記球状体は、前記第１の保持部材の下端に設けられ、前記第２の保持部材には、前記球状体に当接する凹な球面をなす座面が、開口側に前後に一対、これと相反する底部側に左右に一対設けられたことを特徴とするランプ装置。
【請求項４】
一対の給電端子が軸線方向に所定間隔をおいて対向配置されたソケットに装着可能な保持体を有し、該保持体が、ランプを保持するための手段と、前記ソケットの給電端子に電気的に接続可能な端子部材と、前記ソケット側の部材と摺接係合する角度固定手段とを有し、前記保持体が前記軸線回りに回動可能に支持され、前記角度固定手段として、前記端子部材を囲繞する端子保持部に外装されて前記ソケットに形成された切り欠きの互いに対向する一対の縁部間に挟み込まれるリング状のゴム材からなる摩擦制動部材が設けられたことを特徴とするランプ装置。
【請求項５】
一対の給電端子が軸線方向に所定間隔をおいて対向配置されたソケットに装着可能な保持体を有し、該保持体が、ランプを保持するための保持体本体と、前記ソケットの給電端子に電気的に接続可能な端子部材とを有し、該端子部材を前記保持体本体に対して相対回動可能とすることにより前記保持体本体が前記軸線回りに回動可能に支持されたことを特徴とするランプ装置。
【請求項６】
請求項１乃至請求項５のいずれかに記載のランプ装置と、絶縁電線に沿って複数のソケットが並んで設けられたソケット装置とを有することを特徴とする照明装置。
【発明の詳細な説明】
【０００１】
【発明の属する技術分野】
本発明は、屋内照明などの用途で所定のソケットに装着して使用されるランプ装置及びこれとソケット装置とを組み合わせた照明装置に関するものである。
【０００２】
【従来の技術】
屋内照明では、天井、壁、床などの所要の位置に配光を考慮してランプを配置するが、ランプを取り付けた後に実際の配光を見ながら適宜に調整することができると施工上都合が良い。特に間接照明では、ランプと遮光板との位置関係により配光が大きく変化するため、取り付け後にランプの微調整を行うことが可能な構成が望まれる。
【０００３】
【発明が解決しようとする課題】
ところが、ランプを保持するソケットは、両面テープなどによる接着あるいはねじ止めなどで取り付け面に対して強固に固定されるため、取り付けた後に位置を調整することは容易でない。他方、ランプの姿勢を調整する機構をソケットに設ければ、取り付け後の調整を容易に行うことができるが、調整が不要な場合には無駄になるため、徒にコストを引き上げる不都合が生じる。
【０００４】
本発明は、このような従来技術の問題点を解消するべく案出されたものであり、その主な目的は、最適な配光が得られるように取り付け後にランプの姿勢を調整することが可能で、かつ姿勢調整機構を有しない通常のランプとソケットを兼用することができるランプ装置、及びこれとソケット装置とを組み合わせた照明装置を提供することにある。
【０００５】
【課題を解決するための手段】
このような目的を果たすために、本発明においては、ランプ装置の構成を、一対の給電端子が軸線方向に所定間隔をおいて対向配置されたソケットに装着可能な保持体を有し、この保持体が、ランプを保持する第１の保持部材と、この第１の保持部材を軸線方向に傾動可能に支持すると共にソケットの給電端子に電気的に接続可能な端子部材が設けられた第２の保持部材とを有し、この第２の保持部材が軸線回りに回動可能に支持され、端子部材が第２の保持部材の前後端に同軸的かつ一体的に設けられ、端子部材を第２の保持部材の本体に対して相対回動可能とすることにより第２の保持部材が軸線回りに回動可能に支持されたものとした。
【０００６】
これによると、ソケットに固定した後でも第１及び第２の両保持部材の傾動によってランプの姿勢を調整することが可能となるため、最適な配光を簡単に得ることができる。しかも、姿勢調整機構を有しない通常のランプ、例えば両端の封止部からそれぞれリード線を導出させた形態のランプ（国際公開ＷＯ９７／３１２２０号公報参照）とソケットを兼用することができ、必要に応じて取り替えて使用することができる。しかも、機械的及び電気的に高い信頼性を確保することができる。
【００１０】
また、本発明においては、ランプ装置の構成を、一対の給電端子が軸線方向に所定間隔をおいて対向配置されたソケットに装着可能な保持体を有し、この保持体が、ランプを保持する第１の保持部材と、この第１の保持部材を軸線方向に傾動可能に支持すると共にソケットの給電端子に電気的に接続可能な端子部材が設けられた第２の保持部材とを有し、この第２の保持部材が軸線回りに回動可能に支持され、第２の保持部材は、左右の分割体からなり、第１の保持部材を挟み込むように分割体を結合して組み立てられるものとした。これによると、特に簡易な構成で組立が容易になる。
【００１３】
また、本発明においては、ランプ装置の構成を、一対の給電端子が軸線方向に所定間隔をおいて対向配置されたソケットに装着可能な保持体を有し、この保持体が、ランプを保持する第１の保持部材と、この第１の保持部材自体を支持すると共にソケットの給電端子に電気的に接続可能な端子部材が設けられた第２の保持部材とを有し、第１の保持部材が、第２の保持部材に対して球状体を介して任意の方向に傾動可能に支持され、球状体は、第１の保持部材の下端に設けられ、第２の保持部材には、球状体に当接する凹な球面をなす座面が、開口側に前後に一対、これと相反する底部側に左右に一対設けられたものとした。
【００１４】
これによると、前記のランプ装置と同様に、ランプの姿勢を調整することが可能となる。この場合、第２の保持部材がソケットに対して傾動不能な構成で良いが、第２の保持部材がソケットに対して傾動可能な構成とすると、ランプの姿勢調整幅を拡大することができる。
【００１５】
さらに、本発明においては、ランプ装置の構成を、一対の給電端子が軸線方向に所定間隔をおいて対向配置されたソケットに装着可能な保持体を有し、この保持体が、ランプを保持するための手段と、ソケットの給電端子に電気的に接続可能な端子部材と、ソケット側の部材と摺接係合する角度固定手段とを有し、保持体が軸線回りに回動可能に支持され、角度固定手段として、端子部材を囲繞する端子保持部に外装されてソケットに形成された切り欠きの互いに対向する一対の縁部間に挟み込まれるリング状のゴム材からなる摩擦制動部材が設けられたものとした。
【００１６】
これによると、ソケットに対して傾動可能な保持体を角度固定手段により所要の傾斜角度に保持することにより、調整後にランプの姿勢が変化することを防ぐことができる。
【００１７】
本発明においては、ランプ装置の構成を、一対の給電端子が軸線方向に所定間隔をおいて対向配置されたソケットに装着可能な保持体を有し、この保持体が、ランプを保持するための保持体本体と、ソケットの給電端子に電気的に接続可能な端子部材とを有し、この端子部材を保持体本体に対して相対回動可能とすることにより保持体本体が軸線回りに回動可能に支持されたものとした。
【００１８】
これによると、端子部材と給電端子との接触不良を招くおそれのある相対回動を避けて両者の電気的接続を確実に行わせることができる。例えば端子部材を給電端子に対して回動不能な扁平な断面とすれば、端子部材と給電端子との接触面を広く確保することができる。しかも、端子部材と保持体本体とを十分な機械的強度をもって結合することでランプの支持安定性を高める利点も得られる。
【００１９】
また、本発明においては、照明装置を、前記のように姿勢調整機構を備えたランプ装置と、絶縁電線に沿って複数のソケットが並んで設けられたソケット装置とを有するものとした。これによると、ソケット装置を固定した後、配光調整が必要なところに姿勢調整機構を備えたランプ装置を装着し、その他は姿勢調整機構を有しない通常のランプ装置とすることにより、コストを上昇を抑えつつ適切な配光を得ることができる。
【００２０】
【発明の実施の形態】
以下に添付の図面を参照して本発明の構成を詳細に説明する。
【００２１】
図１は、本発明に基づき構成されたランプ装置の第１の実施形態を示している。このランプ装置１は、ソケット２の給電端子３に接続される端子部材４を両端に備えた保持体５にランプ６を保持させ、この保持体５は、一対の給電端子３間に架設された状態でソケット２に支持されている。
【００２２】
ソケット２は、図２に示すように、取付面Ｃに対して固定されるベース部８の両端にコネクタ部９を立設して全体としてコ字形状をなし、コネクタ部９にそれぞれ収容された一対の給電端子３が軸線方向に所定間隔をおいて対向配置されている。このソケット２は、例えば両端の封止部からそれぞれリード線を導出させた形態のランプ、特にループエンド型のランプとでソケットを兼用することができる。ソケット２は、取付面Ｃに対して両面テープなどによる接着、あるいは適宜に設けたねじ孔を利用してねじ止めにより固定すれば良い。
【００２３】
給電端子３は、一対の弾性狭持片間に端子部材４が差し込まれることで端子部材４と結線され、コネクタ部９の頂面から側面にかけて切り欠き１０が形成されている。給電端子３には、端子部材４を規制して保持体５を位置決めするストッパ１２が設けられており、このストッパ１２は給電端子３をなす一対の弾性狭持片の一方に形成された突片を折り返すことで形成される。給電端子３は、電源ケーブルが挿入される接続孔１１（図１参照）内の図示しない接続部材と結線されている。
【００２４】
保持体５は、ランプ６を直接保持する第１の保持部材１３と、この第１の保持部材１３を軸線方向に傾動可能に支持すると共にソケット２の給電端子３に電気的に接続可能な端子部材４が両端に設けられた第２の保持部材１４とからなっており、第２の保持部材１４が軸線回りに回動可能にソケット２に支持されている。第２の保持部材１４の本体２５は、回動の際にソケット２と干渉しないように概ね円筒形状に形成されている。これによりランプ６が直立した原位置から軸線方向、すなわち前後方向（図１・図２において矢印Ａで示す向き）、及び軸線回り、すなわち左右方向（図１・図４において矢印Ｂで示す向き）に自由に傾動し，ランプ６の姿勢、すなわち傾斜方向及び傾斜角度を任意に調整することができる。
【００２５】
端子部材４は、第２の保持部材１４の前後端に同軸的かつ一体的に設けられ、端子部材４を給電端子３に対して相対回動可能とすることにより第２の保持部材１４が軸線回りに回動可能に支持されるようになっている。すなわち、端子部材４は、第２の保持部材１４の端部に形成された端子保持部２３の内部に嵌挿されて第２の保持部材１４に対して固定され、これにより第２の保持部材１４と一体に回動する。端子保持部２３は本体２５と同軸的な円筒形状をなしている。端子部材４における給電端子３と接触する外端部２２は、給電端子３に対して円滑に回転摺動し得るように円形断面で真直に形成されている。第２の保持部材１４の内側に位置する内端部２４はＪ字形状に曲成されている。
【００２６】
第２の保持部材１４は、図３に示すように、略半円筒形状をなす左右の分割体１４ａ・１４ｂからなると共に、この分割体１４ａ・１４ｂにはそれぞれ、第１の保持部材１３の外周面から左右に突出形成された回転軸部１６が挿入される軸受け孔１７が形成され、第１の保持部材１３を挟み込むように分割体１４ａ・１４ｂを結合して組み立てられる。第１の保持部材１３も、左右の分割体１３ａ・１３ｂからなり、ランプ６の封止部１８を包み込むように分割体１３ａ・１３ｂを互いに結合して組み立てられる。第１の保持部材１３の傾動中心となる回転軸部１６と、第２の保持部材１４の傾動中心となる端子部材４の外端部２２とは、互いに中心線が交差するように配置されている。なお、第１・第２の各保持部材１３・１４を構成する分割体１３ａ・１３ｂ及び分割体１４ａ・１４ｂは、合成樹脂材で形成され、超音波溶着にて相互に結合される。この他、接着剤を用いたり、あるいは分割体の一方に他方に係合する弾性係止片を所要の位置に設けて両者を結合する構成としても良い。
【００２７】
ランプ６は無口金電球であり、その封止部１８から導出されたリード線１９と端子部材４の内端部２４とは、図２に示したように、第２の保持部材１４に対する第１の保持部材１３の傾動動作を阻害しないように可撓な撚り線２６を介して結線されている。ここでは、第１の保持部材１３の下面が開放され、この開放部を撚り線２６が通るようになっている。ランプ６のリード線１９はＬ字形状に折り曲げられ、その先端部が分割体１３ａ・１３ｂの合わせ目部分に形成された窪み２０に係止され（図３参照）、これによりランプ６が第１の保持部材１３に支持固定される。
【００２８】
第２の保持部材１４は、ソケット２に当接するリング状の摩擦制動部材２７を端子部材４の外周に備えている。この摩擦制動部材２７は、ゴム材からなり、端子部材４を囲繞する端子保持部２３に外装されると共に、図４に示すように、コネクタ部９に形成された切り欠き１０の互いに対向する一対の縁部２８間に挟み込まれ、この縁部２８との間の摩擦力でソケット２に対して第２の保持部材１４が任意の角度に係止保持される。図５に示すように、第１の保持部材１３の回転軸部１６にも、リング状の摩擦制動部材２９が外装されている。この摩擦制動部材２９は、第１・第２の両保持部材１３・１４間に挟み込まれ、第２の保持部材１４に対して第１の保持部材１３が任意の角度に係止保持される。
【００２９】
第１の保持部材１３は、リフレクタ３０をランプ６と共に傾動可能に支持する着脱自在な連結部３１を有している。この連結部３１は、第１の保持部材１３の上端部に形成され、リフレクタ３０の取付筒部３２が外装され、左右に突出したストッパ３３により位置決めされると共に、図１に示したように径方向外側に膨出した弾発片３４が取付筒部３２の内周面に圧接して、連結部３１からリフレクタ３０が容易に離脱しないようになっている。ここでは、弾発片３４が連結部３１をなす周壁を一部切り欠いて軸線方向に延出させた態様で形成されている。
【００３０】
以上のように構成されたランプ装置１においては、図２に示したように、第２の保持部材１４に形成された開口３６の内周縁部で第１の保持部材１３の傾動が規制され、これにより所定の角度範囲（例えば軸線方向に１５°ずつ）で第１の保持部材１３が傾動可能である。他方、第２の保持部材１４は、図４に示したように、ソケット２で規制される他、リフレクタ３０が取付面Ｃに突き当たることで傾動を規制され、これにより所定の角度範囲（例えば左右に８０°ずつ）で傾動可能である。
【００３１】
なお、図６に示すように、第１の保持部材１３の連結部３１の外周に、リフレクタ３０の取付筒部３２の内周面に形成した凸部４０が嵌合する係止溝４１を設けた構成としても良い。この係止溝４１は、軸方向部４２と複数の周方向部４３とからなり、これによりリフレクタ３０の離脱を阻止すると共にリフレクタ３０の軸方向位置を段階的に調整することができる。ここでは係止溝４１の周方向部４３を２条形成して広角と狭角の２段階に調整することができるようになっている。また周方向部４３の終端を除く部分を凸部４０に対して僅かに幅狭に形成することで、凸部４０を周方向部４３の終端に係止してリフレクタ３０のずれを抑えることができる。なお、この場合にはストッパ３３を省略することができる。
【００３２】
図７は、前記実施形態と異なるソケット装置を用いた照明装置の例を示している。前記実施形態では、ソケット２が単独で取付面にねじ止めなどで固定されるのに対して、このソケット装置５１は、絶縁電線５２に沿って複数のソケット５３が並んで設けられた構成となっている。絶縁電線５２は、テープ状をなし、内部に３本の導線５４を有し、直列接続された複数のソケット５３で構成された発光グループを互いに並列接続するようになっている。なお、ソケット５３は、絶縁電線５２に対する結線構造を除き、前記ソケット２と同一構成のもので良い。
【００３３】
図８は、本発明に基づき構成されたランプ装置の第２の実施形態を示している。このランプ装置６１では、多数のランプ（例えばＬＥＤランプ）６２が保持体６３に保持された点で前記実施形態と異なり、この他、保持体６３を構成する第１の保持部材６４が第２の保持部材６５に対して軸線方向に傾動可能に支持されると共に、第２の保持部材６５がソケット５３に対して軸線回りに回動可能となって点は前記実施形態と同様である。また、ここでは、図７に示したソケット装置５１が用いられている。
【００３４】
第１の保持部材６４においては、図９に示すように、複数のランプ６２が列設される頭部６７が、絶縁電線５２に沿う長手方向寸法がソケット５３より長寸になるように形成されており、これにより隣り合うランプ装置６１の頭部６７同士の隙間が小さくなり、ランプ６２が絶縁電線５２に沿って連続して並んで配置された状態になる。特にここでは、隣り合うランプ装置６１のランプ６２との間隔Ｌ1が、同じランプ装置６１内のランプ６２の間隔Ｌ2と均一になるように設定されている。
【００３５】
この場合、隣り合う頭部６７が傾動時に相互に干渉しない所要の間隙が形成されるようにソケット５３の間隔及び頭部６７の長手方向寸法を適切に設定する。また、第１の保持部材６４の軸線方向の傾動は、前記実施形態と同様に第２の保持部材６５の開口６９の内周縁部で規制される他、ソケット５３に規制されるため、所要の傾動角度を確保するために頸部７０の寸法を適切に定める。
【００３６】
なお、第２の保持部材６５は、前記実施形態での第２の保持部材１４と同一構成のもので良く、他方、第１の保持部材６４においては、前記実施形態での第１の保持部材１３と同様の回転軸部を頸部７０に設ける他、ランプ６２と端子部材とが可撓な接続部材で接続される。
【００３７】
図１０は、本発明に基づき構成されたランプ装置の第３の実施形態を示している。このランプ装置８１では、保持体８３を構成する第１の保持部材８４を第２の保持部材８５が軸線方向に傾動可能に支持すると共に、第２の保持部材８５が軸線回りに回動可能にソケット２に支持され、端子部材８２は、第２の保持部材８５の前後端に同軸的かつ一体的に設けられており、この点で前記の実施形態と同様であるが、ここでは、端子部材８２を第２の保持部材８５の本体８８に対して相対回動可能とすることにより第２の保持部材８５が軸線回りに回動可能に支持されるようになっている。すなわち、端子部材８２は、第２の保持部材８５の本体８８に対して回動可能な端子保持部材８９に保持されている。端子部材８２は、帯板状の扁平な断面をなし、給電端子３に対して傾動不能となっている。
【００３８】
端子保持部材８９は、図１１に併せて示すように、第２の保持部材８５の本体８８の取付孔９２内に回転可能に嵌合する円形断面をなす嵌合部９０と、これから外向きに突き出た突出部９１とからなり、嵌合部９０には、その軸線方向の変位を規制するため、本体８８に設けた環状溝に嵌合する環状凸部が外周に形成されている。他方、突出部９１は、図１２に示すように、コネクタ部９に形成された切り欠き１０の互いに対向する一対の縁部２８間に傾動不能に嵌合する。この端子保持部材８９は合成樹脂材のモールド成形により端子部材８２と一体に形成すれば良い。
【００３９】
この他、回転軸部１６、軸受け孔１７、摩擦制動部材２９、撚り線２６については前記第１の実施形態と同様であるため、同一の符号を付して詳細な説明は省略する。なお、第１の保持部材８４に設けられたリフレクタ３０の連結部９４は、前記図６に示したリフレクタ３０の取付位置を段階的に調整する機構が設けられている。
【００４０】
このように構成されたランプ装置８１においては、第２の保持部材８５の本体８８が端子保持部材８９を中心にして傾動する点を除き、前記第１の実施形態と略同様にして第１の保持部材８４及び第２の保持部材８５が動作する。すなわち、第１の保持部材８４の傾動は、図１１に示したように、第２の保持部材８５の開口９５の内周縁部で規制され、第２の保持部材８５の傾動は、図１２に示したように、ソケット２若しくは取付面Ｃで規制される。
【００４１】
なお、第２の保持部材８５の本体８８に対する端子保持部材８９の回動を所定の角度範囲（例えば左右に８０°ずつ）に規制するため、図１３及び図１４に示すように、端子保持部材８９の外周面に凹部９６を周方向に形成すると共に、この凹部９６に嵌合する係止部９７を本体８８の取付孔９２の内周面に形成した構成としても良い。
【００４２】
図１５は、本発明に基づき構成されたランプ装置の第４の実施形態を示している。このランプ装置１０１では、保持体１０２を構成する第１の保持部材１０３を第２の保持部材１０４が傾動可能に支持する点で前記の実施形態と同様であるが、ここでは、第１の保持部材１０３が球状部１０５を介して任意の方向に傾動可能に第２の保持部材１０４に支持されており、この点で前記の実施形態と大きく異なっている。
【００４３】
球状部１０５は、第１の保持部材１０３の下端に設けられ、第２の保持部材１０４に設けられた凹な球面をなす座面１０６・１０７に当接する。開口１０８側の座面１０６は前後に一対、これと相反する底部側の座面１０７は左右に一対設けられている。球状部１０５の下面には、図１６に示すように、ランプ６のリード線１９に接続された撚り線２６が引き出される開口１０９が形成されており、図１７に示すように、底部側の座面１０７を形成する一対の段部１１０の間を撚り線２６が通過して端子部材８２に接続される。
【００４４】
この他、端子部材８２及び端子保持部材８９については前記第３の実施形態と同様であるため、同一の符号を付して詳細な説明は省略する。
【００４５】
このように構成されたランプ装置１０１においては、図１６及び図１７に示したように、第２の保持部材１０４に形成された開口１０８の内周縁部で第１の保持部材１０３の傾動が規制され、これにより所定の角度範囲で第１の保持部材が任意の方向に傾動可能である。さらにここでは、ソケット２に対して第２の保持部材１０４が左右に傾動可能であり、この傾動は、前記の実施形態と同様にソケット２若しくは取付面Ｃで規制される他、端子保持部材８９の回転止め機構により所定の角度範囲に規制するものとしても良い。
【００４６】
図１８は、前記第４の実施形態の変形例を示している。このランプ装置１１２では、保持体１１３を構成する第２の保持部材１１４の本体１１５に対して回転不能な端子保持部１１６に端子部材８２が保持されており、ランプ６の姿勢調整は、第２の保持部材１１４に対する第１の保持部材１０３の傾動のみで行われる。この他の構成は前記実施形態と同様である。
【００４７】
なお、以上の実施形態では、摩擦制動部材２７により、あるいは端子保持部材８９と本体８８との間の摩擦力によりソケット２に対して保持体を所要の傾斜角度に保持することができるが、この保持体の傾動時にクリック感を与えるため、第２の保持部材とこれに対向するソケット２の部分に凹凸を設けるようにしても良い。例えば、図１９では、ソケット２の外面に設けた凸部１２１が係合する複数の凹部１２２を第２の保持部材８５の外面に設けており、ランプ６を直立位置に位置決めすると共に所定角度ずつ段階的に傾動角度をずらして調整することができる。さらに、これと同様の機能を第１・第２の両保持部材間の動作にも与えることができ、この場合には第１・第２の両保持部材の対向部分に凹凸を設ければ良い。
【００４８】
また、ソケット２に対して第２の保持部材を所要の傾斜角度に保持する角度固定手段として、図２０及び図２１に示すように、ばね部材１３１を介装する構成も可能である。このばね部材１３１は、第２の保持部材１４の本体２５に固定される基部１３２と、端子保持部２３を取り囲むように曲成されたリング状部１３３とからなり、第２の保持部材１４の両側に一対設けられており、この一対のばね部材１３１がそれぞれソケット２のコネクタ部９の対向面１３４に弾発的に圧接することによる摩擦力でソケット２に対して第２の保持部材１４が係止保持される。
【００４９】
ばね部材１３１の基部１３２は、本体２５の端壁１３６に貫設され、その先端部分がＬ字形状に曲成され、本体２５の内面に形成された孔１３５に嵌合係止され、例えば図３に示した分割体１４ａ・１４ｂの合わせ目部分に嵌合可能な窪みを形成した上で両分割体１４ａ・１４ｂ間に挟み込んで固定することで第２の保持部材１４に取り付けることができる。このばね部材１３１は、１本の金属線材の折り曲げ成形により得ることができる。これによると、前記実施形態でのゴム材からなる摩擦制動部材２７に比較して経年劣化による係止保持力の低下を避ける上で有利である。
【００５０】
【発明の効果】
このように本発明によれば、取り付け後に実際の配光を見ながらランプの姿勢を調整して最適な配光を得ることができるため、取り付け作業を能率良く行う上で大きな効果が得られる。しかも、姿勢調整機構を有しない通常のランプとの間でソケットを兼用することができるため、必要に応じて取り替えて使用することができるのでコスト上昇を抑えることができる。
【図面の簡単な説明】
【図１】本発明によるランプ装置の第１の実施形態を示す斜視図。
【図２】図１に示したランプ装置の断面図。
【図３】図１に示したランプ装置の分解組立状況を示す斜視図。
【図４】図２に示したIV−IV線で分断したランプ装置の断面図。
【図５】図２に示したＶ−Ｖ線で分断したランプ装置の断面図。
【図６】図１に示したランプ装置のリフレクタ連結部の変形例を示す斜視図。
【図７】図１に示したランプ装置を用いた照明装置の例を示す斜視図。
【図８】本発明によるランプ装置の第２の実施形態を示す斜視図。
【図９】図８に示したランプ装置の側面図。
【図１０】本発明によるランプ装置の第３の実施形態を示す斜視図。
【図１１】図１０に示したランプ装置の断面図。
【図１２】図１１に示したＸII−ＸII線で分断したランプ装置の断面図。
【図１３】図１０に示したランプ装置の端子保持部材の変形例を示す斜視図。
【図１４】図１３に示した端子保持部材の取付状態の断面図。
【図１５】本発明によるランプ装置の第４の実施形態を示す斜視図。
【図１６】図１５に示したランプ装置の断面図。
【図１７】図１６に示したＸVII−ＸVII線で分断したランプ装置の断面図。
【図１８】図１５に示したランプ装置の変形例を示す斜視図。
【図１９】図１０に示したランプ装置の変形例を示す要部断面図。
【図２０】図１に示したランプ装置の変形例を示す断面図。
【図２１】図２０に示したランプ装置の要部断面図。
【符号の説明】
１・６１・８１・１０１  ランプ装置
２  ソケット
３  給電端子
４・８２  端子部材
５・６３・８３・１０２  保持体
６・６２  ランプ
１３・６４・８４・１０３  第１の保持部材
１３ａ・１３ｂ  分割体
１４・６５・８５・１０４  第２の保持部材
１６  回転軸部
１７  軸受け孔
２６  撚り線
２７  摩擦制動部材
３０  リフレクタ
３１  連結部
５１  ソケット装置
５２  絶縁電線
５３  ソケット
８８  本体
８９  端子保持部材
１０５  球状部
Ｃ  取付面
【図１】
0004448611.tif 000002
【図２】
0004448611.tif 000003
【図３】
0004448611.tif 000004
【図４】
0004448611.tif 000005
【図５】
0004448611.tif 000006
【図６】
0004448611.tif 000007
【図７】
0004448611.tif 000008
【図８】
0004448611.tif 000009
【図９】
0004448611.tif 000010
【図１０】
0004448611.tif 000011
【図１１】
0004448611.tif 000012
【図１２】
0004448611.tif 000013
【図１３】
0004448611.tif 000014
【図１４】
0004448611.tif 000015
【図１５】
0004448611.tif 000016
【図１６】
0004448611.tif 000017
【図１７】
0004448611.tif 000018
【図１８】
0004448611.tif 000019
【図１９】
0004448611.tif 000020
【図２０】
0004448611.tif 000021
【図２１】
0004448611.tif 000022